(57)【要約】【課題】  落下による衝撃からレンズ鏡胴を保護する工夫が図られた撮影装置を提供する。【解決手段】  筐体の前面から繰り出された状態と該筐体の内部に繰り込まれた状態との間で遷移する、撮影レンズを内蔵したレンズ鏡胴を有し、該レンズ鏡銅が該筐体前面から繰り出された状態で撮影を行う撮影装置において、筐体の落下を検出する落下検出部と、筐体前面から突出した状態と筐体内に収容された状態との間で遷移し、筐体前面から突出した状態にあっては、筐体前面から繰り出された状態のレンズ鏡胴の先端よりも筐体前方側に先端が突出する、レンズ鏡胴の周囲に配備された鏡胴保護部材と、落下検出部による検出結果に基づいて、筐体内に収容された状態の鏡胴保護部材を筐体前面から突出させる保護部材突出部とを備えた。【選択図】        図２
2008102354.tif 000002
【特許請求の範囲】
【請求項１】
筐体の前面から繰り出された状態と該筐体の内部に繰り込まれた状態との間で遷移する、撮影レンズを内蔵したレンズ鏡胴を有し、該レンズ鏡銅が該筐体前面から繰り出された状態で撮影を行う撮影装置において、
前記筐体の落下を検出する落下検出部と、
前記筐体前面から突出した状態と該筐体内に収容された状態との間で遷移し、該筐体前面から突出した状態にあっては、該筐体前面から繰り出された状態の該レンズ鏡胴の先端よりも該筐体前方側に先端が突出する、該レンズ鏡胴の周囲に配備された鏡胴保護部材と、
前記落下検出部による検出結果に基づいて、前記筐体内に収容された状態の前記鏡胴保護部材を該筐体前面から突出させる保護部材突出部とを備えたことを特徴とする撮影装置。
【請求項２】
前記筐体前面から突出した突出状態から該筐体内に収容された収容状態に遷移した該鏡胴保護部材を係止する第１の係止部を備え、
前記保護部材突出部は、前記落下検出部による検出結果に基づいて前記第１の係止部による前記鏡胴保護部材の係止を解除した上で、前記筐体内に収容された状態の前記鏡胴保護部材をバネの付勢力を利用して該筐体前面から突出させるものであることを特徴とする請求項１記載の撮影装置。
【請求項３】
前記保護部材突出部が、バネの付勢力を利用して前記鏡胴保護部材を前記筐体前面から突出させるものであって、
該撮影装置が、
前記筐体内に収容された状態から、該筐体前面から突出した状態に遷移した該鏡胴保護部材を係止する第２の係止部と、
操作を受けて、前記第２の係止部による前記鏡胴保護部材の係止を解除する係止解除部とを備えたものであることを特徴とする請求項１記載の撮影装置。
【請求項４】
前記鏡胴保護部材が前記筐体内に収容された状態を検知する収容検知センサを備え、
前記第１の係止部は、前記収容検知センサによる検知を受けて該鏡胴保護部材を係止するものであることを特徴とする請求項２記載の撮影装置。
【請求項５】
前記鏡胴保護部材が前記筐体前面から突出した状態を検知する突出検知センサを備え、
前記第２の係止部は、前記突出検知センサによる検知を受けて該鏡胴保護部材を係止するものであることを特徴とする請求項３記載の撮影装置。
【発明の詳細な説明】
【技術分野】
【０００１】
本発明は、筐体の前面から繰り出された状態と該筐体の内部に繰り込まれた状態との間で遷移する、撮影レンズを内蔵したレンズ鏡胴を有する撮影装置に関する。
【背景技術】
【０００２】
従来より、レンズを内蔵するレンズ鏡胴を備え、このレンズ鏡胴の伸縮が自在の撮影装置が知られている。
【０００３】
この様な、レンズ鏡胴の伸縮が自在の撮影装置には、携帯に便利なように、筐体の前面から繰り出された撮影状態と、筐体の内部に繰り込まれた非撮影状態との間で遷移する、撮影レンズを内蔵したレンズ鏡胴を有するものが提案されている。
【０００４】
しかしながら、このような繰出しおよび繰込みが自在のレンズ鏡胴を備えた撮影装置では、レンズ鏡胴が筐体前面から繰り出された状態のまま装置を誤って床などに落としてしまうと、床などとの衝突の衝撃によりレンズ鏡胴が破壊されてしまうおそれがある。
【０００５】
そこで、落下を検知するセンサを撮影装置に備え、落下を検知すると筐体前面に繰り出されているレンズ鏡胴を筐体内に繰り込ませる提案がなされている（特許文献１参照）。
【特許文献１】特開平９−６１８６９号公報
【発明の開示】
【発明が解決しようとする課題】
【０００６】
しかしながら、レンズ鏡胴の筐体内への繰り込みには多少時間がかかることから、上記提案では、レンズ鏡胴の筐体内への繰り込みが間に合わないおそれがある。
【０００７】
本発明は、上記事情に鑑み、落下による衝撃からレンズ鏡胴を保護する工夫が図られた撮影装置を提供することを目的とする。
【課題を解決するための手段】
【０００８】
上記目的を達成するための本発明の撮影装置は、
筐体の前面から繰り出された状態とこの筐体の内部に繰り込まれた状態との間で遷移する、撮影レンズを内蔵したレンズ鏡胴を有し、このレンズ鏡銅がこの筐体前面から繰り出された状態で撮影を行う撮影装置において、
上記筐体の落下を検出する落下検出部と、
上記筐体前面から突出した状態とこの筐体内に収容された状態との間で遷移し、この筐体前面から突出した状態にあっては、この筐体前面から繰り出された状態のこのレンズ鏡胴の先端よりもこの筐体前方側に先端が突出する、このレンズ鏡胴の周囲に配備された鏡胴保護部材と、
上記落下検出部による検出結果に基づいて、上記筐体内に収容された状態の上記鏡胴保護部材をこの筐体前面から突出させる保護部材突出部とを備えたことを特徴とする。
【０００９】
本発明の撮影装置では、落下検出部によって装置の落下が検出されると、保護部材突出部による、レンズ鏡胴の周囲に配備された鏡胴保護部材の筐体前面からの突出が、鏡胴の繰込みとは異なり迅速に行われる。これにより、本発明の撮影装置によれば、落下による衝撃からレンズ鏡胴を保護することができる。
【００１０】
ここで、上記筐体前面から突出した突出状態からこの筐体内に収容された収容状態に遷移したこの鏡胴保護部材を係止する第１の係止部を備え、
上記保護部材突出部は、上記落下検出部による検出結果に基づいて上記第１の係止部による上記鏡胴保護部材の係止を解除した上で、上記筐体内に収容された状態の上記鏡胴保護部材をバネの付勢力を利用してこの筐体前面から突出させるものであることが好ましい。
【００１１】
この様に、バネの付勢力により鏡胴保護部材を筐体前面から迅速に突出させるようにすると、簡易な構成でレンズ鏡胴を保護することができる。
【００１２】
また、上記保護部材突出部が、バネの付勢力を利用して上記鏡胴保護部材を上記筐体前面から突出させるものであって、
この撮影装置が、
上記筐体内に収容された状態から、この筐体前面から突出した状態に遷移したこの鏡胴保護部材を係止する第２の係止部と、
操作を受けて、上記第２の係止部による上記鏡胴保護部材の係止を解除する係止解除部とを備えたものであることも好ましい態様である。
【００１３】
この様に、第２の係止部を有していると、バネの付勢力で筐体前面に突出した鏡胴保護部材が衝撃により筐体内に戻ってしまう事態の発生を防止できることから、レンズ鏡胴の保護を一層確実に行うことができる。
【００１４】
ここで、上記鏡胴保護部材が上記筐体内に収容された状態を検知する収容検知センサを備え、上記第１の係止部は、上記収容検知センサによる検知を受けてこの鏡胴保護部材を係止するものであることが好ましく、また、上記鏡胴保護部材が上記筐体前面から突出した状態を検知する突出検知センサを備え、上記第２の係止部は、上記突出検知センサによる検知を受けてこの鏡胴保護部材を係止するものであることも好ましい態様である。
【００１５】
この様にすると、この鏡胴保護部材の係止を正確に行うことができる。
【発明の効果】
【００１６】
本発明の撮影装置によれば、落下による衝撃からレンズ鏡胴を保護することができる。
【発明を実施するための最良の形態】
【００１７】
以下、本発明の実施形態について説明する。
【００１８】
図１は、本発明の撮影装置の一実施形態であるデジタルカメラの外観斜視図である。
【００１９】
図１には、本実施形態のデジタルカメラ１に備えられているレンズ鏡胴１１が最も繰り出されている（望遠側）状態が示されている。
【００２０】
図１に示すデジタルカメラ１には、筐体１０の前面中央に、前面レンズ１１０などを内蔵したレンズ鏡胴１１が備えられており、このレンズ鏡胴１１は、後述するズームレバー２の操作に応じて、筐体前面への繰出しと筐体内への繰込みとの間で自在のものである。このレンズ鏡胴１１が備えられている筐体前面の上部には、ファインダ対物窓１０ａが設けられている。筐体上面には、上述した、円環状のズームレバー２と、このズームレバー２の内側に配備されたシャッタボタン３とが備えられている。筐体１０の右側面には、電源スイッチ４と、詳しくは後述するリリーススイッチ５とが備えられている。図示は省略したが、このデジタルカメラ１では、電源スイッチ４がオンされると、筐体内に繰り込まれていたレンズ鏡胴１１が筐体前面から多少突出した広角位置まで繰り出され、その広角位置とその広角位置よりも前方側の望遠位置との間のレンズ鏡胴の移動は、ズームレバー２を操作することにより可能となっている。このデジタルカメラ１では、このズームレバー２による画角が決定され、シャッタボタン３が押下されることで撮影が行われる。また、このデジタルカメラ１では、電源スイッチ４がオフされると、レンズ鏡胴１１が筐体内に繰り込まれるようになっている。尚、図１に示すデジタルカメラ１の筐体背面側には、液晶表示パネルや、その他操作子が備えられているが本発明とは直接的な関係はないので、ここでの図示および説明は省略する。
【００２１】
また、図１には、筐体前面の、このレンズ鏡胴１１の周囲部分に、詳しくは後述するレンズ鏡胴保護部材１２（図２参照）が筐体前面から突出するための輪状の隙間１０ｂが設けられている様子が示されている。このデジタルカメラ１では、レンズ鏡胴１１が筐体前面に繰り出されている場合に、カメラを床に誤って落としたとしてもレンズ鏡胴が故障してしまわないように、筐体前面に輪状に設けられた隙間１０ｂからレンズ鏡胴保護部材１２が突出してレンズ鏡胴１１を保護するようになっている。
【００２２】
図２は、図１に示すデジタルカメラの横断面図である。
【００２３】
図２（ａ）には、固定筒１１１、第１移動筒１１２、および、前面レンズ１１０を保持する第２移動筒１１３で構成されたレンズ鏡胴１１と、前面レンズ１１０の光軸方向の後方に配備された撮像素子２０と、このレンズ鏡胴１１の周囲に配備された筒状のレンズ鏡胴保護部材１２と、このレンズ鏡胴保護部材１２を筐体前面から突出させるための付勢力を生み出す圧縮バネ１２１と、筐体前面からのレンズ鏡胴保護部材１２の突出をロックするロックアーム１４とが示されている。
【００２４】
また、図２（ａ）には、レンズ鏡胴保護部材１２の、前面レンズ１１０の光軸方向前方側と光軸方向後方側とに、ロックアーム１４の先端が嵌め込まれる前方孔１２ａと後方孔１２ｂとが設けられている様子が示されている。
【００２５】
さらに、図２（ａ）には、ロックアーム１４の後端部分が連結された軸１３１が通電により突出するプランジャ１３と、ロックアーム１４から立設されている軸１４２に係留されている、このロックアーム１４の先端をレンズ鏡胴保護部材１２に設けられている前方孔１２ａと後方孔１２ｂに嵌め込ませる向きの付勢力を生み出すトーションバネ１４１と、筐体内におけるレンズ鏡胴保護部材１２の位置を検出する、前面レンズ１１０の光軸方向前方側の第１センサ１６１および光軸方向後方側の第２センサ１６２と、このカメラが落下したか否かを検出するための加速度センサ１５とが示されている。
【００２６】
ここで、図２（ａ）には、圧縮バネ１２１の付勢力に抗しながらユーザによりレンズ鏡胴保護部材１２が筐体内に押し込まれ、筐体内に押し込まれたレンズ鏡胴保護部材１２の前方孔１２ａにロックアーム１４の先端が嵌め込まれている様子が示されており、また、図２（ｂ）には、レンズ鏡胴保護部材１２の前方孔１２ａに嵌め込まれていたロックアーム１４の先端がこの前方孔１２ａから一旦退避し、レンズ鏡胴保護部材１２がバネ１２１の付勢力により筐体前面から突出し、この突出したレンズ鏡胴保護部材１２の後方孔１２ｂに改めてロックアーム１４の先端が嵌め込まれている様子が示されている。さらに、図２（ｂ）には、レンズ鏡胴１１の保護を確実なものとするために、レンズ鏡胴保護部材１２の先端が、最も繰り出された状態にあるレンズ鏡胴１１の先端よりも筐体前方に突出するようになっている様子も示されている。
【００２７】
次に、このレンズ鏡胴保護部材１２の、図２（ａ）に示す状態から図２（ｂ）に示す状態への遷移について説明する。
【００２８】
このデジタルカメラ１による撮影は、図２（ａ）に示すように、ロックアーム１４の先端がレンズ鏡胴保護部材１２の前方孔１２ａに嵌め込まれることで、バネ１２１の付勢力によるこのレンズ鏡胴保護部材１２の筐体前面からの飛び出しが禁止された状態で行われる。このとき、誤ってカメラを落下させたりすると、プランジャ１３への通電が指示され、このプランジャ１３への通電により軸１３１が突出する。これにより、トーションバネ１４１の付勢力によりレンズ鏡胴保護部材１２の前方孔１２ａに嵌め込まれていたロックアーム１２の先端は、この前方孔１２ａから退く。このようにロックアーム１２によるロックが解除されると、レンズ鏡胴保護部材１２は、圧縮バネ１２１の付勢力により筐体前面から突出する。レンズ鏡胴保護部材１２の後端部分が第１センサ１６１よりも光軸方向前方側に移動したことが、第１センサ１６１からの信号により検知されると、プランジャ１３への通電指示は解除される。これにより、ロックアーム１４の先端は、図２（ｂ）に示すように、トーションバネ１４１の付勢力によりレンズ鏡胴保護部材１２の後方孔１２ｂに嵌め込まれることになる。このデジタルカメラ１では、図２（ｂ）に示す様に、ロックアーム１４の先端がレンズ鏡胴保護部材１２の後方孔１２ｂに嵌め込まれることで、床などとの衝突による衝撃によりこのレンズ鏡胴保護部材１２が筐体内に押し戻されないようにされている。
【００２９】
また、このレンズ鏡胴保護部材１２の、図２（ｂ）に示す状態から図２（ａ）に示す状態への遷移について説明する。
【００３０】
このデジタルカメラ１における、突出したレンズ鏡胴保護部材１２の筐体内への収容は、まず、筐体側面に備えられているリリースボタン１５をユーザが押下した後、ユーザがレンズ鏡胴保持部材１２を筐体内に押し込むことで行なわれる。リリースボタン１５が押下されると、プランジャ１３に対して通電がなされる。これにより、プランジャ１３の軸１３１は突出することから、図２（ｂ）に示すように、レンズ鏡胴保持部材１２の後方孔１２ｂに嵌め込まれていた、ロックアーム１４の先端はこの後方孔１２ｂから退避する。リリースボタン１５が押下されたことによるプランジャ１３への通電は、ユーザがレンズ鏡胴保持部材１２を筐体内に押し込むことでこのレンズ鏡胴保護部材１２の後端部分が第２センサ１６２により検出されるまで行われる。第２センサ１６２によるレンズ鏡胴保護部材１２の後端部分が検出されると、プランジャ１３への通電が中止され、ロックアーム１４の先端は、図２（ａ）に示すように、トーションバネ１４１の付勢により改めてレンズ鏡胴保護部材１２の前方孔１２ａに嵌め込まれることとなる。
【００３１】
図３は、図２に示したレンズ鏡胴保護部材とロックアームとの係合部分の拡大図である。
【００３２】
図３（ａ）には、レンズ鏡胴保護部材１２の前方孔１２ａに、ロックアーム１４の先端が嵌め込まれている様子が示され、図３（ｂ）には、プランジャ１３への通電によって軸１３１が突出したことでロックアーム１４の先端が前方孔１２ａから退避した様子が示されている。また、図３（ｃ）には、レンズ鏡胴保護部材１２が筐体前面側に突出した後、ロックアーム１４の先端がレンズ鏡胴保護部材１２の後方孔１２ｂに嵌め込まれている様子が示されている。
【００３３】
以上説明したように、このデジタルカメラ１では、加速度センサ１５によって落下が検出されるとロックアーム１４によるロックが解除され、圧縮バネ１２１の付勢力により鏡胴保護部材１２が筐体前面から突出されることでレンズ鏡胴１１が衝撃から保護されるようになっている。また、このデジタルカメラ１では、レンズ鏡胴保護部材１２が筐体前面から突出した後、レンズ鏡胴保護部材１２の後方孔１２ｂにロックアーム１４の先端が嵌め込まれるようにすることで、圧縮バネ１２１の付勢力で筐体前面から突出しているレンズ鏡胴保護部材１２が落下による衝撃により筐体内に戻ってしまわないようにしてレンズ鏡胴の保護の徹底が図られている。
【００３４】
尚、以上に説明した実施形態では、第１センサ１６１および第２センサ１６２を備えた場合を例に挙げて説明したが、これらを備えず、レンズ鏡胴保護部材１２の突出完了および収容完了を所定時間の経過をもって完了したものと見なしてもよく、また、第１センサ１６１および第２センサ１６２のうちのいずれか一方を備えていてもよい。また、レンズ鏡胴保護部材１２の突出については、本発明では、バネの付勢力を利用するものに限るものではなく、また、これに伴い、本発明では、突出したレンズ鏡胴保護部材１２や収容されたレンズ鏡胴保護部材１２をロックするロック機構およびこのロックを解除する解除機構を備えていなくてもよい。また、本実施形態では、落下を検知するセンサとして加速度センサ１５を例に挙げて説明したが、落下を検出できるものであれば、本発明では、これが角速度センサでもよく、さらには、デジタルカメラを例に挙げて説明したが、本発明は銀塩カメラにも適用可能である。
【００３５】
図４は、本実施形態のデジタルカメラの機能ブロック図である。
【００３６】
図４には、デジタルカメラ１の構成要素である、このカメラ全体を制御するＣＰＵ３０と、前面レンズ１１０を内蔵するレンズ鏡胴１１と、このレンズ鏡胴１１の移動を制御するレンズ鏡胴駆動部２３と、第１センサ１６１と、第２センサ１６２と、プランジャ１３と、加速度センサ１５と、撮像素子２０と、この撮像素子２０を駆動する撮像素子駆動部２２とが示されており、これらのうちのレンズ鏡胴駆動部２３、第１センサ１６１、第２センサ１６２、プランジャ１３、加速度センサ１５、および撮像素子駆動部２２が、ＣＰＵ３０に接続されている様子も示されている。
【００３７】
また、図４には、デジタルカメラ１の構成要素である、Ａ／Ｄ（Ａｎａｌｏｇ／Ｄｉｇｉｔａｌ）２１と、デジタル信号処理部３１と、圧縮伸長処理部３２と、外部メモリ制御部３３と、表示制御部３５とが、バス３００を介してＣＰＵ３０に接続されている様子も示されている。
【００３８】
さらに、図４には、ズームレバー２と、シャッタボタン３と、電源スイッチ４と、リリースボタン５がＣＰＵ３０に接続されている様子が示されている。
【００３９】
ここで、電源スイッチ４が投入されたときのデジタルカメラ１における動作について説明しながら、このデジタルカメラ１の内部構成について簡単に説明する。
【００４０】
このデジタルカメラ１は、撮影を行う際に選択される撮影モードと、撮影して記録されている画像を再生して表示する再生モードとが備えられており、電源スイッチ４がオンされると、電源である不図示の電池から電力がデジタルカメラ１の内部の各部に供給され、撮影モードと再生モードのうちの撮影モードが選択されている場合には、まず撮像素子２０に結像された被写体像を表す画像信号が撮像素子２０から出力され、その出力された画像信号が表す被写体像（スルー画像）が表示部３６に表示される。この撮像素子２０には、撮像素子駆動部２２からタイミング信号が供給されており、このタイミング信号によって所定の間隔ごとにこの撮像素子２０から画像信号が出力され、撮像素子２０から出力された画像信号は、Ａ／Ｄ部２１でデジタルの画像信号に変換された後、デジタル信号処理部３１に送信され、ホワイトバランス等の調整が行なわれる。さらに、デジタル信号処理部３１で調整された画像信号は、データバス３００および表示制御部３５を介して表示部３６に向けて供給される。これにより、表示部３６には、前面レンズ１１０が向けられた方向の被写体が被写体像として常に表示され続ける。この表示され続けている被写体像を視認しながらシャッタボタン３を押下すると、その押下の際に撮像素子２０に結像されていた被写体像を表す画像信号に基づく被写体像が静止画で表示部３６に表示される。表示部３６に表示されている静止画の記録媒体３４への記録は、この静止画を表す画像信号が圧縮伸張処理部３２で一旦圧縮された後に行われる。
【００４１】
一方、このデジタルカメラ１において再生モードが選択されると、記録媒体３４から圧縮画像信号が読み出され、圧縮伸張処理部３２では、読み出した圧縮画像信号が伸張されて画像信号が復元される。復元された画像信号は、デジタル信号処理部３１を経て表示部３６に表示される。
【００４２】
また、このデジタルカメラ１では、ＣＰＵ３０に接続されたズームレバー２の操作に応じて、ＣＰＵ３０からレンズ鏡胴駆動部２３に対して、レンズ鏡胴１１の繰出しおよび繰込みが指示される。尚、図４では、このデジタルカメラ１においては実際に備えられているものの、本発明の主題とは直接関係のないズームレンズ、フォーカスレンズ、アイリス、シャッタ、ＡＥ検出回路、ＡＦ検出回路などの図示および説明は省略されている。
【００４３】
図５は、このデジタルカメラの電源が投入されると実行されるルーチンのフローチャートである。
【００４４】
図５に示すステップＳ１では、第１センサ１６１と第２センサ１６２とが共にオフか否か、即ち、レンズ鏡胴保護部材１２が筐体内に収容されているか否かを判定し、ステップＳ１において、双方共にオフである、即ち、レンズ鏡胴保護部材１２が筐体内に収容されていると判定すると、ステップＳ２に進む。ステップＳ２では、加速度センサ１５による落下が検出されているか否かを判定し、落下が検出されていないと判定すると、ステップＳ２を繰り返し、落下が検出されたと判定すると、ステップＳ３に進む。ステップＳ３では、プランジャ１３への通電を指示する、これにより、現在、レンズ鏡胴保護部材１２の前方孔１２ａに嵌め込まれている、ロックアーム１４の先端をこの前方孔１２ａから退避させる。ステップＳ４では、第１センサ１６１がオンされたか否か、即ち、圧縮バネ１２１の付勢力による筐体前面からのレンズ鏡胴保護部材１２の突出が終了したか否かを判定する。ステップＳ４において、第１センサ１６１がオンされていないと判定すると、ステップＳ４を繰り返し、オンされていると判定すると、ステップＳ５に進み、プランジャ１３への通電の中止を指示する。これにより、ロックアーム１４の先端は、レンズ鏡胴保護部材１２の後方孔１２に改めて嵌め込まれる。ステップＳ６では、レンズ鏡胴保護部材１２を筐体内に収容するためにリリースボタン５がオンされているか否かを判定し、オンされていないと判定すると、ステップＳ６を繰り返す。ステップＳ６においてオンされていると判定すると、ステップＳ７に進み、プランジャ１３への通電を指示する。これにより、ロックアーム１４の先端は、レンズ鏡胴保護部材１２の後方孔１２ｂから退避する。ステップＳ８では、第２センサがオフされたか否か、即ちレンズ鏡胴保護部材１２の収容が終了したか否かを判定し、第２センサ１６２がオフされていない、即ちレンズ鏡胴保護部材１２の収容が終了していないと判定すると、ステップＳ８を繰り返し、第２センサ１６２がオンされていると判定すると、ステップＳ９に進み、レンズ鏡胴保護部材１２の前方孔１２ａにロックアーム１４の先端を嵌め込むべくプランジャ１３への通電の中止を指示する。その後、ステップＳ１に戻る。一方、ステップＳ１において、第１センサ１６１と第２センサ１６２とが双方がオフでははない、即ち、レンズ鏡胴保護部材１２が既に筐体前面から突出してしまっていると判定すると、ステップＳ６に進む。
【００４５】
図６は、レンズ鏡胴保護部材とロックアームの係合の別態様を示す図である。
【００４６】
図６に示す別態様と図３に示す本実施形態におけるこの部分の態様との相違点は、プランジャへの通電による軸の移動方向とロックアームの形状である。
【００４７】
図６（ａ）には、プランジャ４３への通電中止により、このプランジャ４３の軸４３１に接続されているロックアーム４４の先端が、バネ４４１の付勢力によってレンズ鏡胴保護部材１２の前方孔１２ａに嵌め込まれている様子が示され、図６（ｂ）には、プランジャ４３への通電により、このバネ４４１の付勢力に抗して軸４３１が引っ込むことで、ロックアーム４４の先端がこの前方孔１２ａから退避している様子が示されている。また、図６（ｃ）には、プランジャ４３への通電を中止することで、このプランジャ４３の軸４３１に接続されているロックアーム４４の先端が、バネ４４１の付勢力によってレンズ鏡胴保護部材１２の後方孔１２ｂに改めて嵌め込まれている様子が示されている。
【図面の簡単な説明】
【００４８】
【図１】本発明の撮影装置の一実施形態であるデジタルカメラの外観斜視図である。
【図２】図１に示すデジタルカメラの横断面図である。
【図３】図２に示したレンズ鏡胴保護部材とロックアームとの係合部分の拡大図である。
【図４】本実施形態のデジタルカメラの機能ブロック図である。
【図５】このデジタルカメラの電源が投入されると実行されるルーチンのフローチャートである。
【図６】レンズ鏡胴保護部材とロックアームの係合の別態様を示す図である。
【符号の説明】
【００４９】
１  デジタルカメラ
２  ズームレバー
３  シャッタボタン
４  電源スイッチ
５  リリーススイッチ
１０  筐体
１０ｂ  隙間
１１  レンズ鏡胴
１２  レンズ鏡胴保護部材
１２ａ  前方孔
１２ｂ  後方孔
１２１  圧縮バネ
１３  プランジャ
１３１、１４２  軸
１４  ロックアーム
１４１  トーションバネ
１５  加速度センサ
１６１  第１センサ
１６２  第２センサ
２０  撮像素子
【図１】
2008102354.tif 000003
【図２】
2008102354.tif 000004
【図３】
2008102354.tif 000005
【図４】
2008102354.tif 000006
【図５】
2008102354.tif 000007
【図６】
2008102354.tif 000008